(57)【要約】【課題】濾床本体を逆洗することによりＳＳが剥離して生じた懸濁水を逆洗排水槽やポンプ井に排出する際に濾材が同伴されないようにする。【解決手段】好気性濾床槽６の濾床本体１４の上方に設置されると共に、濾材１４ａの逆洗により剥離されたＳＳを含み上昇した懸濁水２１を中途部に開閉弁１９を備えた管路２０に排出し得るようにした濾材流出防止装置３１であって、濾材流出防止装置３１は、下部に懸濁水流入口３２ｃが形成された前室３２ａと、上部において懸濁水流通口３３ａを介し前室３２ａと連通すると共に管路２０と連通するよう形成された後室３２ｂと、開閉弁１９を閉止して濾床本体１４の逆洗を行う際に前室３２ａにおける水面よりも上方に位置するよう、前室３２ａと後室３２ｂを仕切る流出堰３３を備える。【選択図】　　　　図１
2004050125.tif 000002
【特許請求の範囲】
【請求項１】
好気性濾床槽内において濾床本体の上方に設置されると共に、濾材の逆洗により剥離されたＳＳを含み上昇した懸濁水を中途部に開閉弁を備えた管路に排出し得るようにした濾材流出防止装置であって、
該濾材流出防止装置は、下部に懸濁水流入口を有する前室と、上部において懸濁水流通口を介し前室に連通すると共に、前記管路に連通する後室を備え、
前記制御弁を閉止して前記濾床本体の逆洗を行う際には、
前記前室においては、濾材流出防止装置が浸されるか若しくは水没するよう懸濁水が上昇して前記懸濁水流入口から懸濁水が前室に流入した場合、懸濁水の水面は前記前室及び後室並びに管路の開閉弁接続部よりも上流側の空間内における空気の圧力と平衡となる位置までは上昇するが前記懸濁水流通口の下端よりも下方位置となるよう構成され、
前記開閉弁を開いた場合には、懸濁水は前室から懸濁水流通口及び後室を経て開閉弁の開いた管路へ排出されるよう構成したことを特徴とする濾材流出防止装置。
【請求項２】
前室の上部には、前室の後室から離反した側から前室及び後室を仕切る流出堰に向けて下り傾斜に形成された抵抗板が設けられ、該抵抗板の流出堰側端部と流出堰との間には、懸濁水流通口が形成された請求項１に記載の濾材流出防止装置。
【請求項３】
流出堰は、開閉弁を閉止して濾床本体の逆洗を行うことにより懸濁水流入口から前室に流入した懸濁水の水面よりも上方に位置している請求項１又は２に記載の濾材流出防止装置。
【請求項４】
前室は後室に沿った方向へ向けて複数に分割されている請求項１、２又は３に記載の濾材流出防止装置。
【請求項５】
後室内には前室に沿った方向へ向けて所定の間隔で補強部材が設けられている請求項１、２、３又は４に記載の濾材流出防止装置。
【請求項６】
請求項１〜５に記載の何れかの濾材流出防止装置を用いて管路にＳＳを含む懸濁水を排出する際に、開閉弁を閉止した状態で懸濁水が濾材流出防止装置の外部上方所定高さまで達したら、所定の時間その状態を保持させて懸濁水中の濾材を濾材流出防止装置の下方へ沈降させ、しかる後前記開閉弁を開いて懸濁水を前室から後室を経て管路へ排出させることを特徴とする濾材流出防止装置の使用方法。
【発明の詳細な説明】
【０００１】
【発明の属する技術分野】
本発明は濾材流出防止装置及び濾材流出防止装置の使用方法に関するものである。
【０００２】
【従来の技術】
有機物を含んだ下水等の有機性廃水を処理するために、従来から有機性廃水処理設備が用いられており、該有機性廃水処理設備の一例としては図５に示すごとき設備がある。図中、１は汚水ポンプ２を備えたポンプ井、３は沈砂池、４は最初沈殿地、５は流入堰、６は曝気ブロワ７及び逆洗ブロワ８並びに逆洗ポンプ９を備えた好気性濾床槽、１０は処理水槽、１１は逆洗排水槽、１２は微細目スクリーンである。
【０００３】
好気性濾床槽６には、底部側に位置するよう支持材１３が収納されると共に、支持材１３上に堆積されるよう、３〜５ｍｍ程度の粒子状の担体が濾材として充填されて濾床本体１４が形成されている。又、好気性濾床槽６内の上部には逆洗時に濾材が逆洗排水槽１１やポンプ井１に流出するのを防止するために、濾材流出防止装置１５が設けられている。
【０００４】
濾材流出防止装置１５の詳細は図６〜図８に示されている。すなわち、濾材流出防止装置１５は、下面に長手方向へ所定の間隔で複数の取水口１６が穿設されて両端部が閉塞された逆洗水取込み管１７と、逆洗水取込み管１７の長手方向中間部の側部に軸線が逆洗水取込み管１７に対し直交するよう接続された短管１８が接続されており、平面視でＴ字状に形成されている。
【０００５】
而して、濾材流出防止装置１５の短管１８は、図５、図６に示すように、好気性濾床槽６内から好気性濾床槽６外に水平に延在して中途部に開閉弁１９を備えた管路２０に接続されており、濾床本体１４の逆洗時には、濾材流出防止装置１５に取込まれた懸濁水２１は開閉弁１９を開くことにより、管路２０から逆洗排水槽１１又はポンプ井１に送給し得るようになっている。なお、図５に示すように、管路２０の上部には、管路２０と合流し得るようにしたオーバフロー管２２が配設されている。
【０００６】
上記有機性廃水処理設備で廃水処理を行う際には、ポンプ井１に流入した有機性廃水である汚水２３は汚水ポンプ２により沈砂池３に送給され、沈砂池３、最初沈殿地４、流入堰５を経て好気性濾床槽６へ供給され、濾床本体１４内部（濾材の間）、支持材１３を通って流下する。
【０００７】
この際、好気性濾床槽６の濾床本体１４には、曝気ブロワ７から空気が吹込まれて上昇し、濾材に付着した好気性菌に酸素が供給される。このため、好気性菌の働きにより、汚水中のＳＳや有機物の捕捉及び分解除去が並行して行われ、汚水は清浄化されて処理水が得られる。而して、清浄化された処理水は処理槽１０に送給され、処理槽１０から更に後工程へ送給される。
【０００８】
有機性廃水処理設備での汚水２３の処理時間の経過により、濾材に捕捉されたＳＳや増殖した好気性菌が増大し、好気性濾床槽６の濾床本体１４が閉塞する。而して、濾床本体１４が閉塞したら、濾床本体１４の濾過機能を回復するために濾床本体１４の逆洗を行う必要がある。この濾床本体１４の逆洗の手順を図９（イ）〜図９（ニ）をも参照しつつ説明する。図９（イ）〜図９（ニ）中、図５〜図８に示すものと同一のものは同一のものを示し、１４ａは濾床本体１４を形成する濾材、２４は逆洗空気、２５は逆洗水、２６は濾床本体１４の上部に滞留している上部水層である。
【０００９】
濾床本体１４の逆洗時には、曝気ブロワ７を停止させると共に流入堰５からの汚水２３の供給を停止させ、しかも、図９（イ）に示すように、開閉弁１９を閉止した状態で逆洗ブロワ８を駆動する。そうすると、支持材１３の部分から好気性濾床槽６内に逆洗空気２４が導入され、導入された逆洗空気２４は、支持材１３及び濾床本体１４を通って上向流となり上昇する。このため、濾材１４ａに付着していたＳＳが剥離される。
【００１０】
次に、逆洗ブロワ８を駆動したまま、逆洗ポンプ９を駆動して処理槽１０内の処理水を逆洗水２５として支持材１３の部分から好気性濾床槽６内に導入する。導入された逆洗水２５は、支持材１３及び濾床本体１４を通って上向流となり上昇する。
【００１１】
而して、逆洗空気２４及び逆洗水２５を同時に使用することによりＳＳを剥離させる作用はより強力となるため、濾材１４ａに付着しているＳＳは更に効果的に剥離され、剥離されたＳＳは、濾床本体１４から上部水層２６に移動し濾床本体１４から排除される。この際、図９（ロ）に示すように、上部水層２６の水面は濾材流出防止装置１５よりも上方まで上昇するが、開閉弁１９は閉止されているため、上部水層２６が管路２０から逆洗排水槽１１又はポンプ井１に排水されることはない。
【００１２】
続いて逆洗ブロワ８を停止して逆洗空気２４の好気性濾床槽６に対する供給を停止し、図９（ハ）に示すように逆洗水２５のみを好気性濾床槽６へ供給し、濾床本体１４の水洗を行う。そうすると、濾床本体１４内に残留していたＳＳが洗い出され、空水洗により濾床本体１４から上部水層２６に上昇した懸濁状態の水（懸濁水２１）は図９（ハ）に示すように濾材流出防止装置１５よりも上部へ上昇させられる。
【００１３】
懸濁水２１が濾材流出防止装置１５よりも上方へ上昇したら、所定の時間（約１５秒）その状態を維持する。これは、空洗や水洗によりＳＳと共に上昇して懸濁水２１中に同伴されている濾材１４ａを濾床本体１４へ沈降させ、懸濁水２１が好気性濾床槽６から排出されても濾材１４ａは排出されないようにするためである。
【００１４】
而して、懸濁水２１が濾材流出防止装置１５よりも上方へ上昇して所定時間が経過したら、図９（ニ）に示すように開閉弁１９を開く。そうすると、濾材流出防止装置１５の下面よりも上方にある上部水層２６である懸濁水２１は濾材流出防止装置１５における逆洗水取込み管１７に設けられている取水口１６から逆洗水取込み管１７に流入し、逆洗水取込み管１７から短管１８、管路２０を経て逆洗排水槽１１又はポンプ井１に送給される。而して、上部水層２６の水面は下降する。
【００１５】
而して、上述の図９（イ）〜図９（ニ）の工程は２〜３回繰り返されて逆洗が終了する。なお、懸濁水２１がポンプ井１に排出されるのは、逆洗排水槽１１が設けられていない場合である。
【００１６】
【発明が解決しようとする課題】
上記したように、濾材流出防止装置１５を設けることにより、濾材１４ａは逆洗排水槽１１又はポンプ井１には排出されないものと考えられていた。しかるに、図９（ハ）のように、懸濁水２１が濾材流出防止装置１５よりも上部へ上昇した状態で空洗及び空水洗をする場合には、逆洗水取込み管１７内や管路２０の開閉弁１９よりも上流側の部分内における懸濁水２１に含まれている濾材１４ａは逆洗水取込み管１７の底部（図８参照）や管路２０の底部に堆積することになる。このため、開閉弁１９を開いて懸濁水２１を逆洗排水槽１１又はポンプ井１に排出する際には、逆洗水取込み管１７内や管路２０の開閉弁１９よりも上流側の部分内に堆積していた濾材１４ａは懸濁水２１に同伴されて逆洗排水槽１１やポンプ井１に排出される。
【００１７】
懸濁水２１に同伴された濾材１４ａが逆洗排水槽１１やポンプ井１内に堆積した場合には、例えば、バキュームダンパ車により吸引して外部に排出するか、或は、流出した濾材１４ａを沈砂槽を設けて回収し、ニューマチック装置により好気性濾床槽６に返送している。
【００１８】
しかし、濾材１４ａは重いので懸濁水２１を撹拌しても逆洗排水槽１１やポンプ井１内から完全に排出することはできない。このため、ある期間、懸濁水２１を逆洗排水ポンプ２７により微細目スクリーン１２に送給したり、或は汚水ポンプ２により沈砂池３へ送給すると、逆洗排水ポンプ２７や汚水ポンプ２は懸濁水２１に含まれている濾材１４ａにより摩耗されて損傷してしまう。
【００１９】
本発明は、上述の実情に鑑み、濾床本体を逆洗することにより生じたＳＳを含む懸濁水を逆洗排水槽やポンプ井に排出する際に濾材が同伴されないようにした濾材流出防止装置及び濾材流出防止装置の使用方法を提供することを目的としてなしたものである。
【００２０】
【課題を解決するための手段】
請求項１の濾材流出防止装置は、
好気性濾床槽内において濾床本体の上方に設置されると共に、濾材の逆洗により剥離されたＳＳを含み上昇した懸濁水を中途部に開閉弁を備えた管路に排出し得るようにした濾材流出防止装置であって、
該濾材流出防止装置は、下部に懸濁水流入口を有する前室と、上部において懸濁水流通口を介し前室に連通すると共に、前記管路に連通する後室を備え、
前記制御弁を閉止して前記濾床本体の逆洗を行う際には、
前記前室においては、濾材流出防止装置が浸されるか若しくは水没するよう懸濁水が上昇して前記懸濁水流入口から懸濁水が前室に流入した場合、懸濁水の水面は前記前室及び後室並びに管路の開閉弁接続部よりも上流側の空間内における空気の圧力と平衡となる位置までは上昇するが前記懸濁水流通口の下端よりも下方位置となるよう構成され、
前記開閉弁を開いた場合には、懸濁水は前室から懸濁水流通口及び後室を経て開閉弁の開いた管路へ排出されるよう構成したものである。
【００２１】
請求項２の濾材流出防止装置においては、前室の上部には、前室の後室から離反した側から前室及び後室を仕切る流出堰に向けて下り傾斜に形成された抵抗板が設けられ、該抵抗板の流出堰側端部と流出堰との間には、懸濁水流通口が形成されたものである。
【００２２】
請求項３の濾材流出防止装置においては、流出堰は、開閉弁を閉止して濾床本体の逆洗を行うことにより懸濁水流入口から前室に流入した懸濁水の水面よりも上方に位置している。
【００２３】
請求項４の濾材流出防止装置においては、前室は後室に沿った方向へ向けて複数に分割されている。
【００２４】
請求項５の濾材流出防止装置においては、後室内には前室に沿った方向へ向けて所定の間隔で補強部材が設けられている。
【００２５】
請求項６の濾材流出防止装置の使用方法は、請求項１〜５に記載の何れかの濾材流出防止装置を用いて管路にＳＳを含む懸濁水を排出する際に、開閉弁を閉止した状態で懸濁水が濾材流出防止装置の外部上方所定高さまで達したら、所定の時間その状態を保持させて懸濁水中の濾材を濾材流出防止装置の下方へ沈降させ、しかる後前記開閉弁を開いて懸濁水を前室から後室を経て管路へ排出させるものである。
【００２６】
本発明によれば、好気性濾床槽から濾材が逆洗排水槽やポンプ井に排出されることがないため、逆洗排水ポンプや汚水ポンプが損傷することがない。又、バキュームダンパ車やニューマチック装置を用いる必要がないため、動力も不要であり、更に構造が簡単のため安価である。
【００２７】
請求項４の発明によれば、懸濁水が波立って水面が乱れることを防止することができるため、濾材が抵抗板を越えることを確実に防止することができる。
【００２８】
請求項５の発明によれば、後室内が負圧になっても後室が破損することを防止することができる。
【００２９】
【発明の実施の形態】
以下、本発明の実施の形態を図示例と共に説明する。
図１〜図３は本発明を実施する形態の一例である。
図中、３１は図５等に示す従来の濾材流出防止装置１５に替えて好気性濾床槽６内に設けられた本発明の濾材流出防止装置である。濾材流出防止装置３１は前室３２ａと後室３２ｂを有する断面形状が矩形状のボックス３２を備えている。而してボックス３２は、管路２０の直径方向に管路２０の直径に対し数倍の長さで水平に延在しており、前室３２ａと後室３２ｂとは流出堰３３により仕切られている。
【００３０】
前室３２ａの下部には懸濁水流入口３２ｃが形成されており、流出堰３３の上部には、前室３２ａと後室３２ｂとを連通させるよう懸濁水流通口３３ａが形成されている。又、前室３２ａ内の上部前壁には、懸濁水流通口３３ａの下端部と略同一の高さ位置から流出堰３３へ向かって前室３２ａの断面に対し中途部まで斜め下方へ４５度の角度で延在する抵抗板３４が設けられている。而して、抵抗板３４と流出堰３３との間には、懸濁水流通口３４ａが形成されている。
【００３１】
流出堰３３上端の高さ位置としては、開閉弁１９を閉止して空水洗を行う際に水圧により前室３２ａ内の水面が上昇する上限位置よりも上方とする。流出堰３３は開閉弁１９を閉止した状態で前室３２ａに流入した濾材１４ａが混入している上部水層２６が前室３２ａから後室３２ｂへ流入するのを防止するためのものである。又、抵抗板３４に傾斜が付してあるのは、万一、抵抗板３４上に濾材１４ａが載っても前室３２ａの下部側に落下するようにさせるためである。
【００３２】
前室３２ａ内には、管路２０の水平直径方向に所定の間隔で流出堰３５が設けられて前室３２ａは複数の小さい室に分割されている。このように前室３２ａを小さい室に分割するのは、管路２０の開閉弁１９が閉止された状態で、前室３２ａに流入した上部水層２６の波立ちにより水面が乱れ、濾材１４ａが混入している上部水層２６が前室３２ａから後室３２ｂに流入するのを防止するためである。
【００３３】
後室３２ｂには管路２０の水平直径方向に所定の間隔で複数の補強部材３６が設けられている。このように補強部材３６を設けるのは、開閉弁１９が開かれて懸濁水２１が排出され、後室３２ｂ内の圧力が負圧になった際にボックス３２が潰れないようにするためである。
【００３４】
ボックス３２の後面には、後室３２ｂと連通するように短管３７が水平に接続されており、短管３７は管路２０に接続されている。
【００３５】
次に、上記図示例の作動を図４（イ）〜図４（ニ）、図５をも参照して説明する。なお、図４（イ）〜図４（ニ）中、図９（イ）〜図９（ニ）に示すものと同一のものには同一の符号が付してある。
【００３６】
濾床本体１４の逆洗時には、曝気ブロワ７を停止させると共に流入堰５からの汚水２３の供給を停止させ、しかも、図４（イ）に示すように、開閉弁１９を閉止した状態で逆洗ブロワ８を駆動する。そうすると、支持材１３の部分から好気性濾床槽６内に逆洗空気２４が導入され、導入された逆洗空気２４は、支持材１３及び濾床本体１４を通って上向流となり上昇する。このため、濾材１４ａに付着していたＳＳが剥離される。
【００３７】
次に、逆洗ブロワ８を駆動したまま、逆洗ポンプ９を駆動して処理槽１０内の処理水を逆洗水２５として支持材１３の部分から好気性濾床槽６内に導入する。導入された逆洗水２５は、支持材１３及び濾床本体１４を通って上向流となり上昇する。
【００３８】
而して、逆洗空気２４及び逆洗水２５を同時に使用することによりＳＳを剥離させる作用はより強力となるため、濾材１４ａに付着しているＳＳは更に効果的に剥離され、剥離されたＳＳは、濾床本体１４から上部水層２６に移動し濾床本体１４から排除される。この際、図４（ロ）に示すように、上部水層２６の水面は濾材流出防止装置３１外部において濾材流出防止装置３１よりも上方まで上昇する。しかし、開閉弁１９は閉止されているため、上部水層２６は濾材流出防止装置３１の前室３２ａ内では、水頭Ｈ（図１参照）による水圧と前室３２ａ及び後室３２ｂ並びに短管３７、管路２０の開閉弁１９上流側に閉じ込められている空気圧と平衡する高さまで上昇する。従って、好気性濾床槽６内の水面は図１に示すように僅かしか上昇しない。
【００３９】
続いて逆洗ブロワ８を停止して逆洗空気２４の好気性濾床槽６に対する供給を停止し、図４（ハ）に示すように逆洗水２５のみを好気性濾床槽６へ供給し、濾床本体１４の水洗を行う。そうすると、濾床本体１４内に残留していたＳＳが洗い出され、空水洗により濾床本体１４から上部水層２６に上昇した懸濁状態の水（懸濁水２１）は図４（ハ）に示すように濾材流出防止装置３１よりも上部へ上昇させられる。
【００４０】
懸濁水２１が濾材流出防止装置３１外部で濾材流出防止装置３１よりも上方へ上昇したら、所定の時間（約１５秒）その状態を維持する。これは、空洗や水洗によりＳＳと共に上昇して懸濁水２１中に同伴されている濾材１４ａを濾床本体１４へ沈降させ、懸濁水２１が好気性濾床槽６から排出されても濾材１４ａは排出されないようにするためである。
【００４１】
而して、懸濁水２１が濾材流出防止装置３１外部において濾材流出防止装置３１よりも上方へ上昇して所定時間が経過したら、図４（ニ）に示すように開閉弁１９を開く。そうすると、前室３２ａから管路２０の開閉弁１９上流側の圧力が大気圧になり、濾材流出防止装置３１の前室３２ａにおける懸濁水流入口３２ｃ下面よりも上方にある上部水層２６である懸濁水２１は懸濁水流入口３２ｃから前室３２ａ、懸濁水流通口３４ａ，３３ａ、後室３２ｂ、短管３７、管路２０を経て逆洗排水槽１１又はポンプ井１に送給される。このため、上部水層２６の水面は下降する。
【００４２】
而して、上述の図４（イ）〜図４（ニ）の工程は２〜３回繰り返されて逆洗が終了する。
【００４３】
本図示例によれば、開閉弁１９を閉止した状態では懸濁水２１は前室３２ａから後室３２ｂを経て管路２０側へ流入することはないため、濾床本体１４を逆洗することにより生じた懸濁水２１は逆洗排水槽１１やポンプ井１に排出される際に濾材１４ａが同伴されることはない。このため、濾材１４ａは逆洗排水槽１１やポンプ井１に排出されることがなく、懸濁水２１を逆洗排水ポンプ２７により微細目スクリーン１２へ送給する場合も、汚水ポンプ２により沈砂池３へ送給する場合にも、逆洗排水ポンプ２７や汚水ポンプ２が濾材１４ａにより摩耗させられることはなく、従って、逆洗排水ポンプ２７や汚水ポンプ２が損傷することはない。
【００４４】
又、濾材１４ａは逆洗排水槽１１やポンプ井１に溜まることがないため、バキュームダンパ車やニューマチック装置を用いる必要がなく、動力も不要となり、更に構造が簡単のため安価である。
【００４５】
なお、本発明の濾材流出防止装置及び濾材流出防止装置の使用方法は、上述の図示例にのみ限定されるものではなく、本発明の要旨を逸脱しない範囲内において種々変更を加え得ることは勿論である。
【００４６】
【発明の効果】
以上、説明したように本発明の請求項１〜６記載の濾材流出防止装置及び濾材流出防止装置の使用方法によれば、好気性濾床槽から濾材が逆洗排水槽やポンプ井に排出されることがないため、逆洗排水ポンプや汚水ポンプが損傷することがなく、又、バキュームダンパ車やニューマチック装置を用いる必要がないため、動力も不要であり、更に構造が簡単のため安価であり、又請求項４の発明によれば、懸濁水が波立って水面が乱れることを防止することができるため、濾材が抵抗板を越えることを確実に防止することができ、更に請求項５の発明によれば、後室内が負圧になっても後室が破損することを防止することができる、という優れた効果を奏し得る。
【図面の簡単な説明】
【図１】本発明の濾材流出防止装置の実施の形態の一例の縦断面図である。
【図２】図１の平面図である。
【図３】図１のＩＩＩ−ＩＩＩ方向矢視図である。
【図４】本発明の濾材流出防止装置を備えた好気性濾床槽の濾床本体が逆洗される場合の手順を示し（イ）は逆洗空気により濾材からＳＳを剥離する工程を示す概念図、（ロ）は逆洗空気と逆洗水により濾材からＳＳを剥離させ、剥離したＳＳを上向流により濾材から排除して上部水層に移動させる工程の概念図、（ハ）は逆洗水により濾床本体に残留している剥離したＳＳを洗い出し、空水洗により濾床本体から上部水層に移動した懸濁状態の水を本発明の濾材流出防止装置よりも上方まで上昇させる工程を示す概念図、（ニ）は排水レベルよりも上方にある懸濁した水を外部に排出し、ＳＳを排除する工程を示す概念図である。
【図５】従来の濾材流出防止装置を有する好気性濾床槽を備えた有機性廃水処理設備のフロー図である。
【図６】従来の濾材流出防止装置の一部を断面にして示す側面図である。
【図７】図６の平面図である。
【図８】図６のＶＩＩＩ−ＶＩＩＩ方向矢視図である。
【図９】従来の濾材流出防止装置を備えた好気性濾床槽の濾床本体が逆洗される場合の手順を示し（イ）は逆洗空気により濾材からＳＳを剥離する工程を示す概念図、（ロ）は逆洗空気と逆洗水により濾材からＳＳを剥離させ、剥離したＳＳを上向流により濾材から排除して上部水層に移動させる工程の概念図、（ハ）は逆洗水により濾床本体に残留している剥離したＳＳを洗い出し、空水洗により濾床本体から上部水層に移動した懸濁状態の水を濾材流出防止装置よりも上方まで上昇させる工程を示す概念図、（ニ）は排水レベルよりも上方にある懸濁した水を外部に排出し、ＳＳを排除する工程を示す概念図である。
【符号の説明】
６　　好気性濾床槽
１４　　濾床本体
１４ａ　　　　　　　　濾材
１９　　開閉弁
２０　　管路
２１　　懸濁水
３１　　濾材流出防止装置
３２ａ　　　　　　　　前室
３２ｂ　　　　　　　　後室
３２ｃ　　　　　　　　懸濁水流入口
３３　　流出堰
３３ａ　　　　　　　　懸濁水流通口
３４　　抵抗板
３４ａ　　　　　　　　懸濁水流通口
３６　　補強部材
【図１】
2004050125.tif 000003
【図２】
2004050125.tif 000004
【図３】
2004050125.tif 000005
【図４】
2004050125.tif 000006
【図５】
2004050125.tif 000007
【図６】
2004050125.tif 000008
【図７】
2004050125.tif 000009
【図８】
2004050125.tif 000010
【図９】
2004050125.tif 000011